(57)【要約】【課題】風量が少ない場合でも、風向板の端部の表裏に十分な風量を確保し、結露の発生を防止することが可能な空気調和機を提供する。【解決手段】空気調和機１は、空気を吹出す送風機１２と、送風機１２から吹出された空気と熱交換を行う熱交換器１３と、矩形状の吹出口５を規定するドレンパン１４とを備える。ドレンパン１４における吹出口５の長手方向の端部を規定する部分には、第１突起部１５が設けられる。第１突起部１５は、吹出口５を狭めるように傾斜する第１上傾斜面１５ａと、第１上傾斜面１５ａの下方に位置し、吹出口５を拡げるように傾斜する第２上傾斜面１５ｂとを有する。【選択図】図７
2015200464.tif 000002
【特許請求の範囲】
【請求項１】
空気を吹出す送風機と、
前記送風機から吹出された空気と熱交換を行う熱交換器と、
矩形状の吹出口を規定する吹出口規定部材と、を備え、
前記吹出口規定部材における前記吹出口の長手方向の端部を規定する部分には、突起部が設けられ、
前記突起部は、
前記吹出口を狭めるように傾斜する第１傾斜面と、
前記第１傾斜面の下方に位置し、前記吹出口を拡げるように傾斜する第２傾斜面と、を有する空気調和機。
【請求項２】
前記突起部は、前記吹出口規定部材における前記吹出口の長辺を規定する部分と、前記吹出口規定部材における前記吹出口の短辺を規定する部分との結合部に設けられている請求項１に記載の空気調和機。
【請求項３】
前記送風機は、送風ファンを有し、
前記突起部は、前記吹出口規定部材における、前記吹出口の長手方向の両端を規定する部分のうち、前記送風ファンの回転方向において上流側に位置する端部を規定する部分に設けられている請求項１または請求項２に記載の空気調和機。
【請求項４】
空気を吹出す送風機と、
前記送風機から吹出された空気と熱交換を行う熱交換器と、
矩形状の吹出口を規定する吹出口規定部材と、を備え、
前記吹出口規定部材における前記吹出口の短辺を規定する部分には、前記吹出口の長手方向に沿って延び、台形柱形状をなす突起部が設けられ、
前記突起部は、前記吹出口を狭めるように傾斜し、空気の流れを内側に向かわせる傾斜面と、前記傾斜面に下側に位置し前記傾斜面に沿って流れた空気を下方へ向かわせる下降面とを有する空気調和機。
【請求項５】
台形柱形状をなす前記突起部の先端部には、前記突起部の前記長手方向に直交する断面の面積を減少させるように、複数のカット面が形成されている請求項４に記載の空気調和機。
【発明の詳細な説明】
【技術分野】
【０００１】
本発明は、天井埋め込み型の空気調和機に関する。
【背景技術】
【０００２】
空気調和機は、室内空気を吸い込み、熱交換器により吸い込まれた室内空気と熱交換し、この熱交換された空調空気を吹出口から室内へ吹出し、室内を空調する。吹出口には、ルーバ、ベーン等と呼ばれる風向板があり、その風向板により空調空気の吹出方向を制御している。冷房の場合、熱交換器内を流れる冷媒が気化することにより、熱交換器周りの熱を奪っていき、熱交換器が冷やされ、そこにファンの風を通過させて冷風を室内に送る。その際に、冷風により冷やされた風向板に、室内の高温・高湿の空気が触れることで、吹出口周辺に結露が発生する。この結露水が落下することにより、ユーザに不快感を与えてしまう。
【０００３】
これを防止するために、従来の空気調和機では、熱交換器から吹出口までの間に、ジャンプ台とそのジャンプ台に穴を設けて、結露を抑制している（例えば、特許文献１参照）。
【０００４】
このジャンプ台により、空気の流れを、風向板の意匠面側（下方から天井を見たときに見える面）に向かわせて、意匠面側に空気が流すことにより結露を防いでいる。また、このジャンプ台に穴を設けることにより、風向板の反意匠面側（下方より天井を見たときに見えない面）にも空気を流すことができる。この２つの効果により、風向板の表裏両面に空気が流れ、結露を防止している。
【先行技術文献】
【特許文献】
【０００５】
【特許文献１】特開２０１２−９７９５８号公報
【発明の概要】
【発明が解決しようとする課題】
【０００６】
特許文献１に示される従来の空気調和機では、空気の風量がある程度確保されている場合に有効である。しかしながら、吹出口の中心付近と比べ、吹出口の端は構造上、風量が少ない。送風機から送り出された空気は旋回流となるため、吹出口の幅方向（長手方向）の吹出空気の流れは一様とならず、端部の風量が低下する。特に風量が少ない場合はこの傾向が顕著となる。そのため、風向板の端に空調空気の層を作ることができず、結露を防ぐことができない。
【０００７】
そこで、本発明の目的は、風量が少ない場合でも、風向板の端部に十分な風量を確保し、結露の発生を防止することが可能な空気調和機を提供することである。
【課題を解決するための手段】
【０００８】
上記課題を解決すべく、本発明の一態様である空気調和機は、空気を吹出す送風機と、前記送風機から吹出された空気と熱交換を行う熱交換器と、矩形状の吹出口を規定する吹出口規定部材と、を備え、前記吹出口規定部材における前記吹出口の長手方向の端部を規定する部分には、突起部が設けられ、前記突起部は、前記吹出口を狭めるように傾斜する第１傾斜面と、前記第１傾斜面の下方に位置し、前記吹出口を拡げるように傾斜する第２傾斜面と、を有する。
【発明の効果】
【０００９】
本発明によれば、風量が少ない場合でも、風向板の端部の表裏に十分な風量を確保し、結露の発生を防止することが可能な空気調和機を提供することができる。
【図面の簡単な説明】
【００１０】
【図１】本発明の実施形態にかかる空気調和機の室内機を下方から見た斜視図である。
【図２】室内機の縦断面図を示す。
【図３】室内機の吹出口周辺の拡大図を示す。
【図４】室内機を送風ファンの回転軸に対して垂直な断面で見たときの模式図を示す。
【図５】ドレンパンの下面図を示す。
【図６】（ａ）は第１突起部の上面図、（ｂ）は第１突起部の側面図、（ｃ）は第１突起部の正面図、（ｄ）は第１突起部の斜視図を示す。
【図７】（ａ）は、第１突起部を上側から見たときの気流の流れを示し、（ｂ）は、第１突起部を斜め上から見たときの気流の流れを示す図である。
【図８】（ａ）は第２突起部の上面図、（ｂ）は第２突起部の側面図、（ｃ）は第２突起部の正面図、（ｄ）は第２突起部の斜視図を示す。
【図９】（ａ）は、第２突起部を斜め上から見たときの気流の流れを示し、（ｂ）は、第２突起部を正面から見たときの気流の流れを示す図である。
【図１０】（ａ）は第３突起部の上面図、（ｂ）は第３突起部の側面図、（ｃ）は第３突起部の正面図、（ｄ）は第３突起部の斜視図を示す。
【図１１】第３突起部を側面から見たときの気流の流れを示す図である。
【図１２】第３突起部を設けずに空気調和機を冷房運転させたときのルーバの下面に発生する結露の状態を示す図である。
【図１３】第２実施形態におけるドレンパンの下面図を示す。
【図１４】（ａ）は第４突起部の上面図、（ｂ）は第４突起部の側面図、（ｃ）は第４突起部の正面図、（ｄ）は第４突起部の斜視図を示す。
【図１５】第４突起部を側面から見たときの気流の流れを示す図である。
【発明を実施するための形態】
【００１１】
以下、本発明の第１実施形態に係る室内機を備える空気調和機について、図面に基づいて説明する。
【００１２】
図１は、本実施形態に係る空気調和機１の室内機２の外観斜視図を示している。
【００１３】
本実施形態における空気調和機１は、室内機２と、図示せぬ室外機とを備えている。室内機２と図示せぬ室外機とは、冷媒配管により接続されている。室外機には、圧縮機が設けられ、圧縮機により冷媒が圧縮され、循環されることで冷凍サイクルが形成される。
【００１４】
室内機２は、天井埋込型の室内機２であり、天井内に配置される本体部１０と、本体部３の室内側に取り付けられる化粧パネル３とを有する。化粧パネル３には、空気を取り入れる吸込口４と、吸込口４から吸い込まれた空気を室内に吹出すための矩形状の吹出口５が４箇所に形成されている。吹出口５にはそれぞれルーバ６が回動可能に取り付けられており、これで空気の吹出し方向を上下方向、又は左右方向に調整する。また、ルーバ６は、図２に示すように、断面が湾曲した形状をなし、上面６ａと下面６ｂとを有している。
【００１５】
図２は、室内機２の縦断面図を示す。図２に示すように、本体部１０は、筐体１１と、送風機１２、熱交換器１３、ドレンパン１４とを備える。筐体１１は、下方が開口する箱状をなしている。送風機１２は、ファンモータ１２Ａと、送風ファン（例えば、ターボファン）１２Ｂとを有している。熱交換器１３は、送風ファン１２Ｂを取り囲むように設けられ、冷房時には蒸発器として作動し、暖房時には凝縮器として作動し、吸い込まれた空気と熱交換することで、暖気または冷気を生成する。ドレンパン１４は、熱交換器１３の下側に設けられ、冷房運転時には、熱交換器７で結露する水が溜まる。
【００１６】
ファンモータ１２Ａにより送風ファン１２Ｂを回転させることにより、室内の空気が吸込口４を通って、筐体１１内に吸込まれる。吸込まれた空気は、送風ファン１２Ｂによりその外周方向に吹出される。吹出された空気は、熱交換器１３を通過し、筐体１１により流れの向きが水平方向から垂直下方へ変わる。この向きが変わった空気が吹出口５から室内に吐き出されることで気流Ｆが形成される。なお、気流Ｆが吹出口５から室内に吹出される時、ルーバ６によって風向きが調整される。
【００１７】
図３は、室内機２の吹出口５周辺の拡大図を示す。図３に示すように、筐体１１に当たり下方へ流れる気流Ｆの風量分布（風速分布）は、筐体１１側（外側）に風量が偏った分布となり、気流Ｆの大部分が、ルーバ６の上面６ａ側を流れ、気流Ｆの残りの部分が、ルーバ６の下面６ｂ側を流れる。
【００１８】
図４は、室内機２を送風ファン１２Ｂの回転軸に対して垂直な断面で見たときの模式図を示す。図４に示すように、送風ファン１２Ｂは、上から見た場合、反時計回り方向Ｄに回転し、空気は、複数の矢印で示したように旋回流として流れる。このように、送風ファン１２Ｂによりその外周方向に吹出される空気は、主に、吹出口５における送風ファン１２Ｂの回転方向の下流側に向かって流れ、吹出口５における送風ファン１２Ｂの回転方向の上流側にはあまり流れない。その結果、吹出口５の中央付近および送風ファン１２Ｂの回転方向の上流側は空気の流れが比較的安定し、吹出口５の送風ファン１２Ｂの回転方向の下流側は空気が多くは流れず、ルーバ６の下面６ｂ側に空気が流れにくくなる。
【００１９】
次に、吹出口規定部材であるドレンパン１４について、図３〜図８を参照して詳細に説明する。
【００２０】
図５は、ドレンパン１４の下面図を示す。ドレンパン１４は、樹脂により一体成型され、図５に示すように、外形が略四角形で環状をなし、各辺には凹部１４ａが形成されている。そして、図３に示すように、ドレンパン１４の凹部１４ａと、筐体１１とにより、吹出口５が規定される。なお、図５は、ドレンパン１４を下側から見た図であるため、送風ファン１２Ｂは、時計回り方向Ｄに回転する。
【００２１】
また、図３に示すように、ドレンパン１４は、上流壁１４Ｂと、上流壁１４Ｂよりも気流Ｆの下流側に位置する下流壁１４Ｃと、上流壁１４Ｂと、下流壁１４Ｃとを接続する底部１４Ｄとを有している。そして、ドレンパン１４は、上流壁１４Ｂ、下流壁１４Ｃ、および底部１４Ｄにより略Ｕ字状をなし、結露する水が溜まるように構成されている。また、下流壁１４Ｃにより凹部１４ａが形成される。
【００２２】
各凹部１４ａを形成する内周面の一部は、図３に示すように、上端１４ｃ１から筐体１１に向かって傾斜する内周上傾斜面１４ｃ２と、内周上傾斜面１４ｃ２に対し鈍角となるように連結し、下方へ向かって延びる内周下降面１４ｃ３と、内周下降面１４ｃ３に対し滑らかに連結し、筐体１１から離間するように傾斜する内周下傾斜面１４ｃ４と、内周下傾斜面１４ｃ４の下端から下方へ延びる内周下降面１４ｃ５とを有している。このように内周面を構成することにより、気流が、内周面から剥離することなく内周面に沿って流れるようにし、ルーバ６の下面６ｂ側に気流が流れるようにしている。
【００２３】
また、図５に示すように、ドレンパン１４における、左側の凹部１４ａの長手方向の端部の一方には、第１突起部１５が設けられ、上側の凹部１４ａの長手方向の両端部には、第２突起部１６および第３突起部１７が設けられている。換言すれば、ドレンパン１４における、矩形状の吹出口５の長手方向の端部を規定する部分には、第１突起部１５、第２突起部１６、および第３突起部１７が設けられている。また、第１突起部１５および第２突起部１６は、吹出口５の送風ファン１２Ｂの回転方向の上流側の端部に位置する。すなわち、第１突起部１５および第２突起部１６は、ドレンパン１４における、吹出口５の長手方向の両端を規定する部分のうち、送風ファン１２Ｂの回転方向Ｄにおいて上流側に位置する端部を規定する部分に設けられている
【００２４】
次に、図６を参照して、第１突起部１５について説明する。
【００２５】
図６における（ａ）は第１突起部１５の上面図、（ｂ）は第１突起部１５の側面図、（ｃ）は第１突起部１５の正面図、（ｄ）は第１突起部１５の斜視図を示している。なお、図６（ａ）にのみ、点線で筐体１１を示している。
【００２６】
図６に示すように、第１突起部１５は、略三角錐形状をなしており、凹部１４ａの角部に設けられている。すなわち、第１突起部１５は、ドレンパン１４における吹出口５の長辺を規定する部分と、ドレンパン１４における吹出口５の短辺を規定する部分との結合部に設けられている。
【００２７】
また、第１突起部１５は、第１傾斜面に相当する第１上傾斜面１５ａと、第２傾斜面に相当する第１下傾斜面１５ｂとを有する。第１上傾斜面１５ａは、略三角形状をなし、内周下降面１４ｃ３に相当する部分に位置し、吹出口５の開口面積を狭めるように傾斜している。第１下傾斜面１５ｂは、第１上傾斜面１５ａの下方に位置し、略三角形状をなし、内周下傾斜面１４ｃ４に相当する部分に位置し、吹出口５の開口面積を拡げるように傾斜している。
【００２８】
図６（ａ）に示すように、第１上傾斜面１５ａは、吹出口５の角部に位置する頂点から延びる二つの辺のうち、一方の辺が吹出口５の長辺側の内周下降面１４ｃ３に沿って延び、他方の辺が吹出口５の短辺側の内周下降面１４ｃ３に沿って延び、底辺が第１下傾斜面１５ｂの底辺と結合している。そして、第１下傾斜面１５ｂは、底辺から一方の辺が吹出口５の長辺側の内周下傾斜面１４ｃ４に沿って延び、他方の辺が吹出口５の短辺側の内周下傾斜面１４ｃ４に沿って延び、吹出口５の角部で結合している。なお、本実施形態では、第１上傾斜面１５ａは、二つの辺のうち、長辺側の内周下降面１４ｃ３に沿って延びる一方の辺の方が、短辺側の内周下降面１４ｃ３に沿って延びる他方の辺よりも長く構成されている。
【００２９】
次に、図７を参照して  第１突起部１５による気流の流れを説明する。
【００３０】
図７の（ａ）は、第１突起部１５を上側から見たときの気流の流れを示し、（ｂ）は、第１突起部１５を斜め上から見たときの気流の流れを示す図である。
【００３１】
図７（ａ）、（ｂ）の矢印に示すように、吹出口５の長辺側および短辺側から流れてきた気流が、コアンダ効果により、第１突起部１５の第１上傾斜面１５ａに引き寄せられて、さらに第１下傾斜面１５ｂに沿って、凹部１４ａの角部に向かって下方に流れる。すなわち、第１上傾斜面１５ａにより必要な空気の量が確保されて、第１下傾斜面１５ｂにより所望の方向に空気が流される。これにより、気流は、ルーバ６の下面６ｂ側かつ長手方向の端部に向かって流れ、ルーバ６の端部の下面６ｂに対する風量を確保することができる。この結果、ルーバ６の端部に除湿された空気の層を形成することができ、結露を防止することができる。
【００３２】
次に、図８を参照して、第２突起部１６について説明する。
【００３３】
図８における（ａ）は第２突起部１６の上面図、（ｂ）は第２突起部１６の側面図、（ｃ）は第２突起部１６の正面図、（ｄ）は第２突起部１６の斜視図を示している。なお、図８（ａ）にのみ、点線で筐体１１を示している。
【００３４】
図８に示すように、第２突起部１６は、凹部１４ａの短辺部に設けられ、第１傾斜面に相当する第２上傾斜面１６ａと、鉛直面１６ｂと、第２傾斜面に相当する第２下傾斜面１６ｃとを有する。
【００３５】
第２上傾斜面１６ａは、互いに傾斜角度の異なる３つの傾斜面（第２−１上傾斜面１６ａ１、第２−２上傾斜面１６ａ２、第２−３上傾斜面１６ａ３）により構成され、各傾斜面は、吹出口５の開口面積を狭めるように傾斜している。鉛直面１６ｂは、２つの鉛直面（第１−１鉛直面１６ｂ１、第１−２鉛直面１６ｂ２）により構成され、吹出口５の開口面積を一定に保つように、鉛直方向に対し平行をなしている。第１−１鉛直面１６ｂ１は、第２−１上傾斜面１６ａ１の下側に位置し、第１−２鉛直面１６ｂ２は、第２−３上傾斜面１６ａ３の下側に位置している。第２下傾斜面１６ｃは、鉛直面１６ｂの下側に位置し、吹出口５の開口面積を拡げるように傾斜している。
【００３６】
次に、図９を参照して  第２突起部１６による気流の流れを説明する。
【００３７】
図９の（ａ）は、第２突起部１６を斜め上から見たときの気流の流れを示し、（ｂ）は、第２突起部１６を正面から見たときの気流の流れを示す図である。
【００３８】
図９（ａ）、（ｂ）の矢印に示すように、吹出口５の短辺側から流れてきた気流が、コアンダ効果により、第２突起部１６の第２上傾斜面１６ａの各面に引き寄せられて、鉛直面１６ｂを介して、第２下傾斜面１６ｃに沿って、凹部１４ａの角部に向かって下方に流れる。すなわち、第２上傾斜面１６ａにより必要な空気の量が確保されて、第２下傾斜面１６ｃにより所望の方向に空気が流される。これにより、気流は、ルーバ６の下面６ｂ側かつ長手方向の端部に向かって流れ、ルーバ６の端部の下面６ｂに対する風量を確保することができる。この結果、ルーバ６の端部に除湿された空気の層を形成することができ、結露を防止することができる。
【００３９】
次に、図１０を参照して、第３突起部１７について説明する。
【００４０】
図１０における（ａ）は第３突起部１７の上面図、（ｂ）は第３突起部１７の側面図、（ｃ）は第３突起部１７の正面図、（ｄ）は第３突起部１７の斜視図を示している。なお、図１０（ａ）にのみ、点線で筐体１１を示している。
【００４１】
図１０に示すように、第３突起部１７は、ドレンパン１４における吹出口５の短辺を規定する部分に設けられ、吹出口５の長手方向に沿って延び、台形柱形状をなしている。第３突起部１７は、傾斜面１７ａと、下降面１７ｂと、当接面１７ｃと、先端面１７ｄとを有する。
【００４２】
傾斜面１７ａは、吹出口５の外側上方から内側下方に向かって、吹出口５の開口面積を狭めるように傾斜している。下降面１７ｂは、傾斜面１７ａの下端に接続し、鉛直方向に対し平行をなしている。当接面１７ｃは、下降面１７ｂの反対側に位置し、筐体１１に当接している。先端面１７ｄは、第３突起部１７の先端部に位置している。
【００４３】
次に、図１１を参照して  第３突起部１７による気流の流れを説明する。
【００４４】
図１１は、第３突起部１７を側面から見たときの気流の流れを示す図である。
【００４５】
図１１の矢印に示すように、筐体１１（図１０（ａ））の内周面に沿って下降する大きな気流は、傾斜面１７ａにより内側に向きが変えられ、ドレンパン１４に沿って下降する小さな気流と合流し、合流した気流はコアンダ効果により下降面１７ｂと、内周下傾斜面１４ｃ４および内周下降面１４ｃ５とに沿って下降する。このように、傾斜面１７ａで気流の流れを内側に向かわせて、下降面１７ｂにより気流の流れを下方に向かわせている。これにより、速度分布を安定させることができる。そして、下降面１７ｂと内周下降面１４ｃ５との間を通過した気流は、ルーバ６の上面６ａ側および下面６ｂ側にそれぞれ適切な風量に振り分けられる。このように、筐体１１の内周面側（外側）に偏った風量を、第３突起部１７により内側に偏向させることで、ルーバ６の端部の下面６ｂに対する風量を確保している。この結果、ルーバ６の端部に除湿された空気の層を形成することができ、結露を防止することができる。
【００４６】
なお、図１０（ｃ）に示した第３突起部１７の高さＨ（第３突起部１７の付根から先端面１７ｄまでの距離）は、第３突起部１７を設けずに、空気調和機を冷房運転させたときの、ルーバ６に発生する結露の状態に基づき決定される。
【００４７】
図１２は、第３突起部１７を設けずに空気調和機を冷房運転させたときのルーバ６の下面６ｂに発生する結露の状態を示す図である。室内に向かって、図１２の矢印で示した方向に気流が流れる。第３突起部１７を設けない場合には、ルーバ６の端部の下面６ｂ側に除霜された空気が流れにくく、室内の高湿度な空気が下面６ｂに触れることにより結露が発生し、図１２の点線で囲んだように台形形状に結露が発生する。
【００４８】
そして、気流に対する上流側の端縁の結露の幅Ｗに等しくなるように、第３突起部１７の高さＨを設定している。このように設定することにより、下面６ｂにおける結露の発生を確実に防止することができる。
【００４９】
上記のようにドレンパン１４において、一つの吹出口５に対し第１突起部１５を設け、他の吹出口５に対し第２突起部１６および第３突起部１７を設け、残り２つの吹出口５に対し何も設けないようにすることにより、各吹出口５のルーバ６の両端部に対して適切な風量が流れるようにし、全ての吹出口５のルーバ６に対する結露を防止している。
【００５０】
限られた風量を有効利用し、風速分布と風量が最適なバランスとなるように、流体力学の管内流れの特徴（壁面は速度ゼロ、壁面近傍の流速が遅く、壁面から離れた場所が最も流速が早くなる）、風量、および風量と風速分布の関係を考慮し、かつ、各吹出口間の影響を考慮しながら、各突起部の配置が決定される。
【００５１】
次に、本発明の第２実施形態に係る室内機を備える空気調和機について、図面に基づいて説明する。
【００５２】
第１実施形態と第２実施形態とでは、ドレンパンの構造のみが異なるので、本実施形態ではドレンパンについてのみ説明する。また、第１実施形態と同一の部材・構成については、同一の参照番号を付し説明を省略する。
【００５３】
図１３は、第２実施形態におけるドレンパン１１４の下面図を示す。なお、本実施形態におけるドレンパン１１４は、第１実施形態のドレンパン１４と比較して、比較的容量が小さい（風量が少ない）空気調和機に用いられるドレンパン１１４である。このため、本実施形態の吹出口５の開口面積は、第１実施形態のドレンパン１４の吹出口５の開口面積と比較して小さく構成される。これは、空気調和機１の室内機２の原価低減のため、同一筐体で冷房暖房能力の異なる製品を開発したためであり、吹出口５の開口面積を小さくすることにより、必要な風速を確保している。
【００５４】
図１３に示すように、ドレンパン１１４における、矩形状の吹出口５の長手方向の端部を規定する部分には、それぞれ第１突起部１５、第３突起部１７、および第４突起部１８が設けられている。
【００５５】
次に、図１４を参照して、第４突起部１８について説明する。
【００５６】
図１４における（ａ）は第４突起部１８の上面図、（ｂ）は第４突起部１８の側面図、（ｃ）は第４突起部１８の正面図、（ｄ）は第４突起部１８の斜視図を示している。なお、図１４（ａ）にのみ、点線で筐体１１を示している。
【００５７】
図１４に示すように、第４突起部１８は、ドレンパン１１４における吹出口５の短辺を規定する部分に設けられ、吹出口５の長手方向に沿って延び、略台形柱形状をなしている。第４突起部１８は、傾斜面１８ａと、下降面１８ｂと、当接面１８ｃと、先端面１８ｄと、先端部１８ｅを有する。傾斜面１８ａ、下降面１８ｂ、および当接面１８ｃは、それぞれ第３突起部１７の傾斜面１７ａ、下降面１７ｂ、および当接面１７ｃに相当する。
【００５８】
そして、先端部１８ｅには、第４突起部１８の長手方向に直交する断面の面積を減少させるように、複数のカット面１８ｆが形成されている。なお、第４突起部１８の断面積は、第３突起部１７よりも大きく構成されており、先端部１８ｅの複数のカット面１８ｆにより、先端面１８ｄの面積は、第３突起部１７の先端面１７ｄとほぼ等しくなる。また、第４突起部１８が対向する凹部１４ａの長辺部には、内周上傾斜面１４ｃ２等は形成されておらず、鉛直方向に平行に延びる対向面１４ｃ６が形成されている。
【００５９】
次に、図１５を参照して  第４突起部１８による気流の流れを説明する。
【００６０】
図１５は、第４突起部１８を側面から見たときの気流の流れを示す図である。
【００６１】
図１５の矢印に示すように、図１１で説明した気流の流れと同様に、筐体１１（図１０（ａ））の内周面に沿って下降する大きな気流が、傾斜面１８ａにより内側に向きが変えられ、ドレンパン１４に沿って下降する小さな気流と合流し、合流した気流はコアンダ効果により下降面１８ｂと、対向面１４ｃ６とに沿って下降する。このように、傾斜面１８ａで気流の流れを内側に向かわせて、下降面１８ｂにより気流の流れを下方に向かわせている。これにより、速度分布を安定させることができる。そして、下降面１８ｂと対向面１４ｃ６との間を通過した気流は、ルーバ６の上面６ａ側および下面６ｂ側にそれぞれ適切な風量に振り分けられる。このように、筐体１１の内周面側（外側）に偏った風量を、第３突起部１８により内側に偏向させることで、ルーバ６の端部の下面６ｂに対する風量を確保している。この結果、ルーバ６の端部に除湿された空気の層を形成することができ、結露を防止することができる。
【００６２】
このように、第４突起部１８により、吹出口５の開口面積を狭めつつ、第４突起部１８と対向面１４ｃ６との間に隙間を形成することにより、ルーバ６の端部に除湿された空気を供給することができる。
【００６３】
また、第４突起部１８の先端部１８ｅに複数のカット面１８ｆを形成することにより、先端部１８ｅにおける空気の流れの乱れを抑制することができる。複数のカット面１８ｆを形成しない場合は、第４突起部１８の断面積が大きいため、先端において空気の流れが乱れてしまうが、複数のカット面１８ｆを形成し、先端面１８ｄを第３突起部１７の先端面１７ｄと同等にすることにより空気の乱れを抑制している。
【００６４】
なお、図１４（ｃ）に示した第４突起部１８の高さＨ（第４突起部１８の付根から先端面１８ｄまでの距離）は、上記の第３突起部１７の高さＨと同様に、第４突起部１８を設けずに、空気調和機を冷房運転させたときの、ルーバ６に発生する結露の状態に基づき決定される。
【００６５】
なお、本発明は、上述した実施例に限定されない。当業者であれば、本発明の範囲内で、種々の追加や変更等を行うことができる。
【００６６】
例えば、上記の実施形態における室内機２は、４方向に吹出口を有する天井埋込型の室内機２であったが、２方向に吹出口を有する天井埋込型の室内機であっても良い。
【００６７】
また、第１突起部１５の第１上傾斜面１５ａおよび第１下傾斜面１５ｂは、平面であったが、曲面であっても良い。また、第２突起部１６も曲面により構成されても良い。
【００６８】
また、吹出口５は、ドレンパン１４と筐体１１とにより形成されていたが、ドレンパン１４の凹部１４ａの開口を閉じるように構成して、ドレンパン１４のみにより吹出口５を形成しても良い。
【符号の説明】
【００６９】
１：空気調和機、２：室内機、１２：送風機、１２Ｂ：送風ファン、１３：熱交換器、１４：ドレンパン、１５：第１突起部、１５ａ：第１上傾斜面、１５ｂ：第１下傾斜面、１６：第１突起部、１６ａ：第２上傾斜面、１６ｃ：第２下傾斜面、１７：第１突起部、１７ａ：傾斜面、１７ｂ：下降面、１８：第１突起部、１８ａ：傾斜面、１８ｂ：下降面、１８ｆ：カット面
【図１】
2015200464.tif 000003
【図２】
2015200464.tif 000004
【図３】
2015200464.tif 000005
【図４】
2015200464.tif 000006
【図５】
2015200464.tif 000007
【図６】
2015200464.tif 000008
【図７】
2015200464.tif 000009
【図８】
2015200464.tif 000010
【図９】
2015200464.tif 000011
【図１０】
2015200464.tif 000012
【図１１】
2015200464.tif 000013
【図１２】
2015200464.tif 000014
【図１３】
2015200464.tif 000015
【図１４】
2015200464.tif 000016
【図１５】
2015200464.tif 000017